(57)【要約】【課題】歌唱者の歌唱力評価データを、当該歌唱者の画像と共にプリンタでプリント可能にする。【解決手段】カラオケシステム（１００）は、カラオケ装置（１）と、画像撮影部（２３）と、上記カラオケ装置から転送された画像データをプリント可能なプリンタ（３）とを含む。上記カラオケ装置は、上記カラオケ装置に入力された音声の歌唱力を評価する歌唱力評価部（２７）と、上記歌唱力評価部で得られた歌唱力評価結果を、上記画像撮影部で得られた画像データに合成する画像合成部（１１）と、上記画像合成部で合成された画像データを上記プリンタに転送してプリントさせるためのプリンタ制御部（９）とを含む。上記歌唱力評価部で得られた歌唱力評価結果を、上記画像撮影部で得られた画像データに合成し、それを上記プリンタに転送してプリントさせることにより、歌唱者の歌唱力評価データを、当該歌唱者の画像と共にプリンタでプリントすることができる。【選択図】図１
2012098456.tif 000002
【特許請求の範囲】
【請求項１】
カラオケ装置と、
上記カラオケ装置に接続され、撮影により画像データを得る画像撮影部と、
上記カラオケ装置に接続され、上記カラオケ装置から転送された画像データをプリント可能なプリンタと、を含み、
上記カラオケ装置は、上記カラオケ装置に入力された音声の歌唱力を評価する歌唱力評価部と、
上記歌唱力評価部で得られた歌唱力評価結果を、上記画像撮影部で得られた画像データに合成する画像合成部と、
上記画像合成部で合成された画像データを上記プリンタに転送してプリントさせるためのプリンタ制御部と、を含むことを特徴とするカラオケシステム。
【発明の詳細な説明】
【技術分野】
【０００１】
本発明は、歌を歌う際に、事前に録音された伴奏を再生することにより演奏を再現可能なカラオケシステムに関する。
【背景技術】
【０００２】
特許文献１には、営業用のカラオケ装置を利用してデジタル写真データを処理する技術が記載されている。それによれば、カラオケ表示用画像や、画像入力部からの画像をプリント（印刷）するにあたり、カラオケシステムにプリンタを具備し、音楽再生時の画像や外部から取り込んだ画像を加工してプリント、もしくは外部に出力できる。
【先行技術文献】
【特許文献】
【０００３】
【特許文献１】特開２００６−３８４２号公報
【発明の概要】
【発明が解決しようとする課題】
【０００４】
カラオケシステムについて本願発明者が検討したところ、以下の課題を見いだした。
【０００５】
上記の先行技術では、取り込んだ画像を加工し、プリント、および外部出力していたが、歌唱力採点に関するデータ（歌唱力評価データ）の利用に関して配慮されていない。また、画像をプリントする場合の課金に関しては配慮されていない。更に、歌唱者の画像をプリント、もしくは外部出力する場合のセキュリティへの配慮がされていない。同様に課金に対するセキュリティに関しても配慮されていない。
【０００６】
本発明の目的は、歌唱者の歌唱力評価データを、当該歌唱者の画像と共にプリンタでプリント可能なカラオケシステムを提供することにある。
【０００７】
本発明の前記並びにその他の目的と新規な特徴は本明細書の記述及び添付図面から明らかになるであろう。
【課題を解決するための手段】
【０００８】
本願において開示される発明のうち代表的なものの概要を簡単に説明すれば下記の通りである。
【０００９】
すなわち、カラオケ装置と、上記カラオケ装置に接続され、撮影により画像データを得る画像撮影部と、上記カラオケ装置に接続され、上記カラオケ装置から転送された画像データをプリント可能なプリンタとを含んで、カラオケシステムを構成する。上記カラオケ装置は、上記カラオケ装置に入力された音声の歌唱力を評価する歌唱力評価部と、上記歌唱力評価部で得られた歌唱力評価結果を、上記画像撮影部で得られた画像データに合成する画像合成部と、上記画像合成部で合成された画像データを上記プリンタに転送してプリントさせるためのプリンタ制御部とを含む。
【発明の効果】
【００１０】
本願において開示される発明のうち代表的なものによって得られる効果を簡単に説明すれば下記のとおりである。
【００１１】
すなわち、歌唱者の歌唱力評価データを、当該歌唱者の画像と共にプリンタでプリントすることができる。
【図面の簡単な説明】
【００１２】
【図１】本発明にかかるカラオケシステムの構成例ブロック図である。
【図２】図１に示されるカラオケシステムにおける主要部の動作シーケンスのフローチャートである。
【図３】本発明にかかるカラオケシステムの別の構成例ブロック図である。
【図４】本発明にかかるカラオケシステムの別の構成例ブロック図である。
【図５】図４に示されるカラオケシステムにおける表示画像の説明図である。
【図６】図４に示されるカラオケシステムにおけるプリント画像の説明図である。
【図７】本発明にかかるカラオケシステムの別の構成例ブロック図である。
【発明を実施するための形態】
【００１３】
１．実施の形態の概要
先ず、本願において開示される発明の代表的な実施の形態について概要を説明する。代表的な実施の形態についての概要説明で括弧を付して参照する図面中の参照符号はそれが付された構成要素の概念に含まれるものを例示するに過ぎない。
【００１４】
〔１〕本発明の代表的な実施の形態に係るカラオケシステム（１００）は、カラオケ装置（１）と、上記カラオケ装置に接続され、撮影により画像データを得る画像撮影部（２３）と、上記カラオケ装置に接続され、上記カラオケ装置から転送された画像データをプリント可能なプリンタ（３）とを含む。上記カラオケ装置は、上記カラオケ装置に入力された音声の歌唱力を評価する歌唱力評価部（２７）と、上記歌唱力評価部で得られた歌唱力評価結果を、上記画像撮影部で得られた画像データに合成する画像合成部（１１）と、上記画像合成部で合成された画像データを上記プリンタに転送してプリントさせるためのプリンタ制御部（９）とを含む。
【００１５】
上記の構成によれば、画像合成部は、上記歌唱力評価部で得られた歌唱力評価結果を、上記画像撮影部で得られた画像データに合成し、プリンタ制御部は、上記画像合成部で合成された画像データを上記プリンタに転送してプリントさせる。これにより、歌唱者の歌唱力評価データを、当該歌唱者の画像と共にプリンタでプリントすることができる。
【００１６】
〔２〕上記〔１〕において、プリント利用の際の課金データを、携帯電話に転送するための通信部（６）を設けることができる。
【００１７】
〔３〕上記〔１〕において、プリント利用の際の課金データを、カラオケの課金サーバ（１７）に転送するための通信部（２６）を設けることができる。
【００１８】
〔４〕上記〔２〕において、プリント利用の際の課金データを、携帯電話に転送する際に、課金データを暗号化する暗号化／復号化部（３５）を設けることができる。
【００１９】
〔５〕上記〔２〕又は〔３〕において、広告データサーバ（４０）に接続する通信部（２６）と、上記通信部で受信した広告データをプリント画像に合成する画像合成部（４１）とを設けることができる。
【００２０】
〔６〕上記〔１〕〜〔５〕において、上記画像合成部で合成した、歌唱力評価結果データを含んだ画像データを、プリンタ以外の外部媒体に転送する通信部（６）を設けることができる。
【００２１】
２．実施の形態の詳細
実施の形態について更に詳述する。
【００２２】
《実施の形態１》
図１には、本発明にかかるカラオケシステムの構成例が示される。
【００２３】
図１に示されるカラオケシステム１００は、カラオケ装置１、プリンタ３、画像表示部４、画像撮影部２３、楽曲選択部２５を含む。カラオケ装置１は、歌を歌う際に、事前に録音された伴奏を再生することにより演奏を再現することができる。プリンタ３は、カラオケ装置１に結合され、カラオケ装置１から伝達された画像データをプリントする。画像表示部４は、カラオケ装置１に結合され、カラオケ装置１から伝達された画像データを表示画面に表示する。画像撮影部２３は、撮影により画像データを得ることができる。画像撮影部２３の撮影対象は、カラオケ装置１を利用する歌唱者とすることができる。この撮影により得られた画像データはカラオケ装置１に伝達される。
【００２４】
このようなカラオケシステム１００は、携帯端末の一例とされる携帯電話２や通信ネットワーク１９に結合される。携帯電話２は、基本的にはこのカラオケシステム１００を利用するユーザが所有するものである。つまり、ユーザは、このカラオケシステム１００を利用するに際して、必要に応じて、自己所有の携帯電話２をカラオケシステム１００に接続する。携帯電話２は、携帯電話通信ネットワーク２０を介して通信課金サーバ１４に接続することができる。通信ネットワーク１９には、カラオケ課金サーバ１７や楽曲データサーバ１５が結合される。なお、本図では通信ネットワーク１９が複数記載されているが、それらは互いに同一のネットワークでも良いし、互いに異なるネットワークでも良い。
複数の通信ネットワークを使用してもいいし、単数のネットワークでもよい。
【００２５】
上記カラオケ装置１は、プリント画像記憶部１０、歌唱力評価部２７、通信部６，１０１，２４，２６、プリンタ制御部９、カラオケ制御部２２、画像合成部１１、音楽画像記憶部１８を含む。プリント画像記憶部１０は、プリント対象とされる画像を格納する。歌唱力評価部２７は、歌唱力者の音声データを解析して歌唱力を評価する。通信部６は、携帯電話２を介して通信を行う。通信部１０１は、画像撮影部２３と通信して、撮影された画像データをカラオケ装置１内に取り込む。プリンタ制御部９は、プリンタ３でのプリント動作を制御する。カラオケ制御部２２は、楽曲の画像データの転送など、カラオケ制御を行う。画像合成部１１は、入力された画像の合成を行う。音楽画像記憶部１８には音楽画像を格納する。通信部２４は、楽曲選択部２５との間で通信を行う。通信部２６は、通信ネットワーク１９との間で通信を行う。
【００２６】
図２には、図１に示されるカラオケシステム１００における主要部の動作シーケンスが示される。
【００２７】
カラオケシステム１００のユーザは、楽曲選択部２５で所望の楽曲を選択する（２０１）。カラオケ制御部２２は、楽曲選択部２５からの選曲データを、通信部２４を介して受け取り、選択された楽曲を、通信ネットワーク１９を介して、楽曲データサーバ１５に要求する。楽曲データサーバ１５は、選択された画像データを含んだ楽曲データを通信ネットワーク１９、および通信部２６を介してカラオケ制御部２２に送る。カラオケ制御部２２は楽曲の画像データを画像合成部１１に送る。画像合成部１１はカラオケ制御部２２からの楽曲の画像データを画像表示部４に送る。続いてカラオケ制御部２２は歌唱力評価部２７に歌唱力評価開始信号を送る。この状態で、演奏が開始される（２０２）。歌唱力評価部２７は楽曲の音楽データと、図示しない歌唱者からの歌唱データを入力として歌唱力結果を算出し（２０３）、楽曲終了後、算出した歌唱力結果データを画像合成部１１に送る。一方、画像撮影部２３は歌唱者を撮影し、歌唱者撮影データを通信部１０１、カラオケ制御部２２を介して画像合成部１１に送る。画像合成部１１は、歌唱者撮影データと、歌唱力評価部２７からの歌唱力結果データとを受け取り、両データの画像合成を行い、表示部４に送る。画像表示部４は、合成された画像データを表示する。また、カラオケ制御部２２は評価得点表示データと共に、「得点をプリントするか否か」の判断を促す文字列を、画像合成部１１を介して画像部４に送り、同様に表示する（２０４）。ユーザ（歌唱者）が、楽曲選択部２５を介して画像プリントを選択しない場合には画像プリントは行われない。ユーザ（歌唱者）が、楽曲選択部２５を介して、画像プリントを選択した場合は、ユーザ（歌唱者）によりカメラ選択が行われる（２０５）。ユーザ（歌唱者）が「付属カメラ」を選択した場合、カラオケ制御部２２は、画像撮影部２３で撮影済みの歌唱者画像を、通信部１０１を介して取り込み（２０６）、得点データと共に、プリント画像記憶部１０に記憶させる。画像合成部１１は、プリント画像記憶部１０内の歌唱者画像と得点データとを合成する。この合成画像は、再びプリント画像記憶部１０に記憶される。そしてこの合成画像は、プリンタ制御部９により、プリント画像データとしてプリンタ３に送られる。そしてプリンタ制御部９からプリンタ３にプリント開始信号が送られると、プリンタ３は上記合成画像をプリントする。
【００２８】
また上記ステップ２０５のカメラ選択において、「携帯電話２」の内蔵カメラを選択した場合には、画像撮影部２３で得られた画像に代えて、携帯電話２で撮影された画像が、通信部６を介してプリント画像記憶部１０に送られ、それが画像合成部１１において得点データと合成され（２０９）、それがプリント画像記憶部１０を介してプリンタ制御部９によりプリンタ３に送られてプリントされる（２１０）。
【００２９】
このように、歌唱力評価結果を他の画像データと合成して、カラオケ装置１に接続されたプリンタ３でプリントすることができる
尚、通信部１０１と画像撮影部２３の間の通信は有線通信でも良いし、無線通信でも良い。また携帯電話２と通信部６の間の通信は、有線通信でも良いし、無線通信でも良い。
【００３０】
《実施の形態２》
実施の形態２について、再び図１を参照しながら説明する。
【００３１】
実施の形態２では、実施の形態１で行ったプリントに対して課金することができる。
【００３２】
本例では、プリントについての課金の例として、携帯電話の課金システムを利用する方法とカラオケ課金を利用するものを説明する。
【００３３】
まず携帯電話の課金システムを利用する場合の動作を説明する。
【００３４】
実施の形態１におけるプリントの開始命令が、カラオケ制御部２２よりプリンタ制御部９に送付されると同時に、カラオケ制御部２２は、通信部６を介して、課金データを携帯電話２に送る。携帯電話２は、携帯電話通信ネットワーク２０を介して、課金データを通信課金サーバ１４内のプリント課金サーバ１３に送る。プリント課金サーバ１３は、プリントの課金データを受け取り、携帯電話２の所有者にプリントの課金を行い、携帯電話２の利用料請求時に携帯電話２の所有者にプリントについての課金を請求する。
【００３５】
次にカラオケ課金を利用する場合の動作を図1において説明する。
【００３６】
プリントの開始がカラオケ制御部２２よりプリンタ制御部９に送付されると同時に、カラオケ制御部２２は、通信部２６と通信ネットワーク１９を介し、課金データをカラオケ課金サーバ１７に送る。カラオケ課金サーバ１７は、カラオケシステムを利用しているユーザに課金を行い、カラオケ費用請求の際にプリント課金を併せて請求する。
【００３７】
このように、携帯電話の課金システム又はカラオケ課金を利用してプリントについての課金を行うことができるので、ユーザは、プリント代の支払いのために、硬貨を財布から取り出してそれをカラオケシステムの硬貨投入口に投入する等の煩雑な作業が不要とされる。
【００３８】
《実施の形態３》
本発明の実施の形態３を説明する。
【００３９】
実施の形態３では、実施の形態２における携帯電話を利用した課金に対してセキュリティを確保するものである。
【００４０】
図３には、実施の形態２における携帯電話を利用した課金に対してセキュリティを確保する場合の構成例が示される。図３に示されるカラオケシステム１００が、図１に示されるのと大きく相違するのは、暗号化／復号化部３５が設けられている点である。尚、このカラオケシステム１００を利用するユーザが所有する携帯電話３０は、携帯電話制御部３１、暗号化／復号化部３２、ＩＤ（identification）保持部、通信部３４を含む。選曲からプリント開始に至る動作は、実施の形態１の場合と同様である。ユーザからのプリント開始命令を、通信部２６を介して受けたカラオケ制御部２２は、課金データを暗号化／復号化部３５に送る。暗号化／復号化部３５は、課金データを予め決められた暗号方式により暗号化し、暗号化した課金データを通信部６に送る。通信部６は暗号済み課金データを、携帯電話３０内の通信部３４を介し、暗号化／復号化部３２に送る。暗号化／復号化部３２は暗号済み課金データを復号し、携帯電話制御部３１に送る。携帯電話制御部３１は、携帯電話通信における独自の暗号化を行い課金データを携帯電話通信ネットワーク２０を介して、通信課金サーバ１４内のプリント課金サーバ１３に送る。尚、暗号化／復号化部３２で課金データを復号しても良いし、図示しないプリント課金サーバ１３内の暗号化／復号化部において復号しても良い。
【００４１】
通信課金サーバ１３は、実施の形態２の場合と同様に、ユーザの携帯電話３０に課金する。本例によれば、暗号化及び復号化により、カラオケ装置１と携帯電話３０との間での通信におけるセキュリティを保つことができる。
【００４２】
《実施の形態４》
本発明の実施の形態４を説明する。
【００４３】
実施の形態４では、プリントにおいて、特定の広告をプリントすることにより、プリント課金の際に、課金を減額、もしくは無償化するものである。
【００４４】
図４には、この場合の構成例が示される。尚、図４において図３と同一の符号で示すものは同一の機能を有する。
【００４５】
図４に示されるシステムでは、通信ネットワーク１９に広告データサーバ４０が結合されている。歌唱力評価画像を歌唱者画像と合成し、画像表示部４に表示させるまでの動作は、実施の形態１の動作、および実施の形態３の動作と同様である。カラオケ制御部４２は、画像合成部４１に広告データのプリント可否ボタン画像の合成を命令する。画像合成部４１は広告データのプリント可否ボタンを画像合成し、合成後の画像データをカラオケ制御部４２に送る。カラオケ制御部４２は合成後の画像データを画像表示部４に送る。ここで表示される画像の一例が図５に示される。５０１は「広告」ボタン、５０２は歌唱者画像、５０３はカーソルである。
【００４６】
ユーザが楽曲選択部２５を用いてカーソル５０３を移動させて、「広告」ボタン５０１を押すと、カラオケ制御部４２は通信部２６を介し、通信ネットワーク１９に接続されている広告データサーバ４０に広告画像データの要求を行う。広告データサーバ４０は広告画像データ送信の要求を受けて、通信ネットワーク１９と通信部２６を介して広告データをカラオケ制御部４２に送る。カラオケ制御部４２は画像合成部４１に広告画像データの合成を命令する。画像合成部４１は広告画像データを歌唱者画像データや、歌唱力結果画像データと合成し、一旦プリント画像記憶部１０に送る。プリンタ制御部９はプリント画像記憶部１０よりプリント画像データを読み出し、プリンタ３に送る。プリンタ３は合成された画像をプリントする。
【００４７】
図６には、本システムでのプリント結果の一例が示される。
【００４８】
一方、カラオケ制御部４２はプリント課金データを生成するが、広告６０１がプリントされた場合は課金を減額、もしくは無償化することができる。以降の動作は、実施の形態２や実施の形態３と同様である。広告６０１のプリントによる「減額データ」は予めカラオケ装置１内に保持しておいてもいいし、広告画像データに付随しておいてもよい。
【００４９】
《実施の形態５》
本発明の実施の形態５を説明する。
【００５０】
実施の形態５では、本発明の実施例１から実施例４におけるプリント画像データを携帯電話等の別媒体に転送することができる。図７には、この場合の構成例が示される。
【００５１】
図７において、７０は画像記憶部、７１はカラオケ制御部である。
【００５２】
図７において図１、もしくは図３と同一符号で示すものは同一の機能を有する。
【００５３】
本例の動作を、図７を用いて説明する。
【００５４】
カラオケ制御部７１はプリント画像記憶部１０に記憶の合成後のプリント用画像を、暗号化／復号化部３５と、通信部６を介し、携帯電話３０に送る。携帯電話３０の携帯電話制御部３１は、通信部３４を介し画像記憶部７０に記憶する。携帯電話３０内の画像記憶部７０に合成後の画像を記憶する場合、プリンタ３でプリントしても良いし、プリントしなくても良い。本例によれば、プリントを行わない場合でも、ユーザの携帯電話等の外部媒体に画像を転送することができる。
【００５５】
本例における通信部６と通信部３４との通信は有線通信でも良いし、無線通信でも良い。無線通信の場合、携帯電話に具備しているワイヤレスランでもよいし、IrDA（Infrared Data Association）を利用してもよい。
【００５６】
カラオケ装置１より携帯電話３０に画像データを転送する場合、暗号化／復号化部３５で、転送する画像データを暗号化してセキュリティを確保しても良い。
【００５７】
以上本発明者によってなされた発明を実施形態に基づいて具体的に説明したが、本発明はそれに限定されるものではなく、その要旨を逸脱しない範囲において種々変更可能であることは言うまでもない。
【符号の説明】
【００５８】
１  カラオケ装置
２  携帯電話
３  プリンタ
４  画像表示部
９  プリンタ制御部
１０  プリント画像記憶部
１１  画像合成部
１３  プリント課金サーバ
１４  通信課金サーバ
１５  楽曲データサーバ
１７  カラオケ課金サーバ
１９  通信ネットワーク
２０  携帯電話通信ネットワーク
２２  カラオケ制御部
２３  画像撮影部
２４  通信部
２５  楽曲選択部
２６  通信部
２７  歌唱力評価部
３０  携帯電話
３１  携帯電話制御部
３２  暗号化／復号化部
３３  ID保持部
３４  通信部
３５  暗号化／復号化部
４０  広告データサーバ
４１  画像合成部
４２  カラオケ制御部
７０  画像記憶部
７１  カラオケ制御部
１００  カラオケシステム
１０１  通信部
【図１】
2012098456.tif 000003
【図２】
2012098456.tif 000004
【図３】
2012098456.tif 000005
【図４】
2012098456.tif 000006
【図５】
2012098456.tif 000007
【図６】
2012098456.tif 000008
【図７】
2012098456.tif 000009